(57)【要約】【課題】  本考案は、全体的形状が等辺三角形に構成されたＣＤケース等用の積み重ね具を提供する。【解決手段】  本考案の積み重ね具は、等辺三角形を形成する基礎輪郭に関連してその各辺の交点に３個のラック部材が配置され、かつ３個の前記ラック部材間に相互に上下に所定間隔を置いて配置した複数の水平区画室が形成されていて、前記基礎輪郭の基礎線の方向において隣り合う前記ラック部材相互間の側方向の間隔が前記区画室に挿入されるべきＣＤケースの幅よりも僅かに大きいことを特徴とする。【選択図】      図１
0003107235.tif 000002
【実用新案登録請求の範囲】
【請求項１】
等辺三角形を形成する基礎輪郭（４）に関連してその各辺の交点に３個のラック部材（１、２、３）が配置され、かつ３個の前記ラック部材間に相互に上下に所定間隔を置いて配置した複数の水平区画室（５）が形成されていて、前記基礎輪郭の基礎線（４.１）の方向において隣り合う前記ラック部材（１、２、３）相互間の側方向の間隔が前記区画室に挿入されるべきＣＤケース（６）の幅（Ｂ）よりも僅かに大きいことを特徴とするＣＤケース等用の積み重ね具。
【請求項２】
前記ラック部材（１、２、３）がそれぞれ一体品として形成されていることを特徴とする請求項１の積み重ね具。
【請求項３】
前記区画室（５）は、それぞれ個々に前記ラック部材（１、２、３）に連結されていることを特徴とする請求項１又は２のいずれか１項に記載の積み重ね具。
【請求項４】
複数の前記区画室（５）が接着剤又は粘着剤により一緒に結合されて前記ラック部材（１、２、３）に連結される区画室ブロックを形成していることを特徴とする請求項１又は２のいずれか１項に積み重ね具。
【請求項５】
前記ラック部材（１、２、３）はそれぞれ複数の構成部品から組み立てられていて、少なくとも１個の前記区画室（５）が、等辺三角形の各辺の交点で連結される前記ラック部材の三構成部品に連結されていることを特徴とする請求項１〜４のいずれか１項に記載の積み重ね具。
【請求項６】
前記ラック部材（１、２、３）は基礎部材（７）を介して相互に結合されていることを特徴とする請求項１〜５のいずれか１項に記載の積み重ね具。
【請求項７】
前記ラック部材（１、２、３）は頂部部材（８）を介して相互に結合されていることを特徴とする請求項１〜６のいずれか１項に記載の積み重ね具。
【請求項８】
前記ラック部材はそれぞれ薄板構造であることを特徴とする請求項１〜７のいずれか１項に記載の積み重ね具。
【請求項９】
前記区画室（５）の各々は中心領域に自由空間（１０）を持つことを特徴とする請求項１〜８のいずれか１項に記載の積み重ね具。
【請求項１０】
前記区画室（５）は、中心領域において共に連結されかつ前記ラック部材（１、２、３）の少なくとも近傍において平坦なウェブ（５.1）によって形成されていることを特徴とする請求項１〜９のいずれか１項に記載の積み重ね具。
【請求項１１】
前記ラック部材（１.３、２.３、３.３）は、基礎部材（７）と頂部部材（８）とによって共に堅固に結合されかつ前記区画室の各々は中心領域（１３）の方向へ突出した前記ラック部材（１.３、２.３、３.３）上の突出部（１４）によって形成されていることを特徴とする請求項１〜１０のいずれか１項に記載の積み重ね具。
【請求項１２】
前記突出部（１４）は平板形状であることを特徴とする請求項１１に記載の積み重ね具。
【請求項１３】
前記ラック部材（１.２、２.２、３.２）は薄板構造でありかつ等辺三角形を形成する基礎輪郭（４）に沿って延びていて、前記区画室が相互に連結された薄板構造の前記ラック部材内のスロット（１２）によって形成されていることを特徴とする請求項１〜１２のいずれか１項に記載の積み重ね具。
【考案の詳細な説明】
【技術分野】
【０００１】
本考案はＣＤケース等を積み重ねるための積み重ね具に関する。
【背景技術】
【０００２】
オーディオ又はビデオの分野におけるＣＤケース又は板状のカセットを積み重ねるために、３本の棒状ラック部材を基礎板上に直角に配置し、水平方向に整列した複数の区画室を前記ラック部材に連結させて相互に上下方向に配置することは知られている。このケースにおいては、挿入されるべきＣＤケースの幅よりも若干大きい幅の挿入口が形成されるような離隔距離で２本の前部ラック部材が配置されるような構成を有する。後部ラック部材は、２本の前部ラック部材の連結面から、挿入されるべきＣＤケースの長さよりも短い距離の位置で配置され、このため後部ラック部材はストッパ部材を形成し、挿入されたＣＤケースは挿入口から突き出て、容易に掴むことができる。この積み重ね具では、積み重ねられるべきＣＤケースは、一方の側面からのみ挿入することができる。
【考案の開示】
【考案が解決しようとする課題】
【０００３】
本考案は、挿入されるべきＣＤケースを複数の側面から挿入することのできる上述の型の積み重ね具を提供することを目的とする。
【課題を解決するための手段】
【０００４】
この目的は、基礎的輪郭が等辺三角形の形をなしていて等辺三角形の各辺の交点に３本のラック部材が配置され、３本の前記ラック部材の間に、相互に上下に所定間隔を置いて配置した複数の水平な区画室が形成され、基礎輪郭の基礎線の方向において隣り合う２本の前記ラック部材相互間の横切る方向の間隔が前記区画室に挿入されるべきＣＤケースの幅よりも若干大きくなっているＣＤケース等用の積み重ね具によって実現される。この型式の塔状積み重ね具は、ＣＤケースがどの側面からでも挿入できるという利点を持っている。もしＣＤケースが各場合において連続した室に三角形の基本外形の異なる側面からそれぞれ挿入できるならば、隣接したＣＤケースへのアクセスは容易である。しかしながら、これは特別の対象物領域を各挿入側面に配置して積み重ねの調整を可能にする。【０００５】
本考案の発展形態において、各前記ラック部材は一体物として形成されるようになっている。このケースにおいて、前記ラック部材は、例えば木材から製作される棒状の構成でよく、又はプラスチック材料から作られる筒状のものでよい。【０００６】
本考案の発展形態において、各前記区画室は個別に前記ラック部材に連結されるようになっている。この実施形態において、個々の前記区画室は例えばプラスチック材料から作られ、前記ラック部材へ、例えば棒状ラック部材内の横方向スロットの中に固定される。【０００７】
本考案の別の発展形態において、複数の前記区画室は接着剤又は粘着剤によって相互に結合されて、前記ラック部材に連結される区画室ブロックを形成するようになっている。前記区画室ブロックは例えばプラスチック材料から構成され、その後に３本の前記ラック部材に固定的に連結される一つの部品として射出成形されることができる。従って、本実施形態の製造は容易である。【０００８】
本考案の別の発展形態において、各前記ラック部材は複数の構成部品から組み立てられ、少なくとも一つの前記区画室が各ケースにおいて等辺三角形の各辺の交点で連結される３本の前記ラック部材に接着剤又は粘着剤によって結合されるようになっている。この実施形態において、個々の前記区画室又は１以上の区画室ブロックは、例えばプラスチック材料からなる射出成形部品として製作され、その後に、接着剤又は粘着剤により上下に組み立てられて積み重ね要素を形成する。また、この実施形態では、単純なプラグ・アンド・ソケット式連結により異なる高さの積み重ね要素の、所定の格子形態での製作を可能にする。【０００９】
本考案によれば、前記ラック部材は基礎板及び／又は頂部板によって堅固に結合されることができる。前記基礎板は異なる重い材料からつくることができ、このため積み重ね具は、その基礎板によってある程度の基本的安定性が得られ、且つ転倒が防止される。【００１０】
他の発展形態において、前記基礎板と頂部板とによって堅固に結合される前記ラック部材は、隣接する前記ラック部材上で基礎的輪郭の基礎線の方向に延びかつ内方へ突出した突出部を区画室として有する。【００１１】
本考案の他の発展形態において、前記ラック部材は薄板構造であり、かつそれぞれ等辺三角形を形成する基礎線に沿って延びて、前記区画室は相互連結された薄板構造のラック部材内のスロットによって形成される。前記スロットの水平方向の幅は、挿入されるべきＣＤケースの幅よりも僅かに大きく、前記スロットの鉛直方向の高さは挿入されるべきＣＤケースの厚さよりも僅かに大きい。【００１２】
本考案の更なる特徴は、実用新案登録請求の範囲と実施形態とについての以下の説明から明らかとなろう。
【考案を実施するための最良の形態】
【００１３】
ＣＤケース用の柱状又は塔状積み重ね具のために図１に示された実施形態は、−等辺三角形の形状の基礎輪郭４に関して−図２から明らかなように、三角形の辺交点にそれぞれ配置された３個のラック部材を本質的に有している。３個のラック部材１、２、３の間に複数の水平区画室５が設けられていて、これらは各ケースにおいて相互に上下に所定間隔を置いて平行に配置されている。基礎輪郭の基礎線の方向において隣り合う２個のラック部材１−２、２−３、３−１の間の側方間隔は、図２より明らかなように、区画室５内に挿入されるべきＣＤケース６の幅Ｂよりも僅かに大きい。各ケースにおいて、基礎線上で互いに隣接する２個のラック部材、例えば、ラック部材１、２は挿入開口を形成し、ここでラック部材３はＣＤケース６の制限停止部材として機能する。これにより、ＣＤケースを各側面から各区画室内に挿入することが可能となる。これは例示する目的で図３に平面図で示されている。個々のＣＤケース６.１、６.２、６.３は、積み重ね具の区画室内へ基礎線４．１の各側から挿入されることができる。【００１４】
上述したように、ラック部材１、２、３は、例えば木材から、一体品として作ることができ、図１でフレーム状構造であるが図１０に示されるように板状にすることもできる基礎部材、即ち基礎板７および対応する頂部部材、即ち頂部板８を介して堅固に連結されることができる。また、個々の薄板構造区画室は、例えばラック部材１、２、３内のスロットの中に固定される。【００１５】
同様な要領で、ラック部材は個々に、プラスチック材料から対応する挿入スロットを有する筒型形状に作ることができ、そして同様に、区画室はラック部材の挿入スロットに挿入されることができる対応突出部を隅領域に備えた薄板構造に構成できる。また、３個のラック部材１、２、３は、押し込み基礎部材７と押し込み頂部部材８とを介して堅く一体連結される。【００１６】
区画室はこのケースにおいて、連続板状の形をとり、又はそうでなければ、図２に示されるように、自由空間１０を取り囲む周縁輪郭を形成するウェブ９を有するフレーム状構造とすることができる。【００１７】
図３は、矢印Ｉ、II及びIIIによって示されるように、各ケースにおいて、異なる側面から相互に上下にＣＤケース６を挿入できるＣＤケースの挿入の可能性を平面図で示している。【００１８】
図４、図５は、図１、図２による実施形態に構造的に対応するが見た目には外向きの膨出輪郭を有する実質的に三角形の外形である実施形態を示している。ラック部材内の分割線Ｄによって示されるように、積み重ね具は複数の構成部品から組み立てることができる。【００１９】
図６、図７による実施形態は、図１、図２による実施形態に構造的に対応している。差は単に、積み重ね具が区画室５の周縁輪郭にわたって全体的に円筒形の外観をしていることにある。【００２０】
図８、図９による実施形態は又、基本的構造において図１、図２による実施形態に対応している。しかしながら、この実施形態において、区画室は星形の平坦なウェブ５．１によって形成されていて、このため積み重ね具は全体として星形の外観をしている。【００２１】
図１０及び図１１は、基礎部材７.１が板の形状をしており、頂部部材８.１も板の形状をしてラック部材１.１、２.１、３.１に繋がっている実施形態を示している。この実施形態の特有の利点は、基礎部材７.１が相対的に大きい固有重量を有する材料から作られることができ、これにより積み重ね具に対して相対的に高い安定性を付与するということである。変形例として、上述の実施形態の各々は、各ケースにおいて、対応して形成された板状の基礎部材７.１及び／又は頂部部材８.１を具備する構成である。【００２２】
図１２は、ラック部材１.２、２.２、３.２がそれぞれ薄板構造であり、それらの側縁１１の領域で相互に結合され、かつそれらの表面領域が基礎線４に略沿って延在する実施形態を示している。個々のラック部材は、ウェブ１２.１によって境界が画定され、区画室を形成するスロット１２を有する。この実施形態においても、ＣＤケースは各側面から挿入できる。薄板構造のラック部材１.１、２.１、３.１は、ここに示されるように、平坦でなければならなくはないが、垂直中心軸１３に対して内向きに又は外向きに湾曲してよい。このケースにおいて、側縁１１は、所定間隔を置いて横切る方向に延びたウェブを介して互いに堅固に連結できる。【００２３】
図１３は、図８による実施形態の変形例を示している。この実施形態において、ラック部材１.３、２.３、３.３は各々、基礎部材７と頂部部材８とによって互いに堅固に連結される。このケースにおいて、区画室は隣り合うラック部材までそれぞれ延びた板状部品又はフレーム状部品によって形成されない。この実施形態において、図１３の図面から明らかなように、区画室の各々は、中心軸１３に向かって突出した個々のラック部材上のウェブ状突出部１４によって形成される。このようにして、各ラック部材は櫛形構造となっている。【００２４】
図１２による実施形態は又、同様な構造とすることができる。スロット１２を形成する個々のウェブがラック部材の全幅にわたって延びないで、単に突出部１２.２が図１４に示されるように、側縁１１から短い距離だけ延びているから、薄板構造のラック部材は、各ケースにおいてその二側縁１１と平行な櫛形状の境界線１６を持つ中心開口１５を形成している。【００２５】
この型の積み重ね具は、各ケースにおいて、基礎部材の近傍及び／又は頂部部材の近傍において、凹み及び／又は突出部を有することができ、そのようにして複数の積み重ね具は、プラグ・アンド・ソケット式連結により塔状に相互に上下に配置されることができる。【００２６】
図１５は、図８による実施形態の変形例の斜視図を示している。この実施形態において、図１６における頂部部材８及び図１７における基礎部材７の平面図から更に明らかなように、半径方向に配置されかつ垂直方向に整列したウェブ８.３、７.３のそれぞれに境界板８.２、７.２が堅く連結されている。ウェブ８.３を備えた境界板８.２及び対応してウェブ７.３を備えた境界板７．２は、それぞれ基礎部材７と頂部部材８とを形成している。ウェブ７.３、８.３は、端部において結合部材７.４、８.４内に延入し、それぞれ境界板７.２、８.２の面に直角に整列していて、対応する中空のラック部材１、２、３の各端部内に嵌入している。【００２７】
この実施形態において、フレーム状の区画室５は、略三角形の基礎平面輪郭を有しているが、その周縁輪郭はラック部材１、２、３間で内方に湾曲して延びている。図１５に示されるように、区画室５は、自由空間１０を有するフレーム状である。しかしながら、区画室は対応した薄板構造とすることもできる。境界板８.２の周縁輪郭は、このケースにおいて、区画室５の周縁輪郭と同じである。【００２８】
図１８〜図２０は、図４による実施形態の変形例を、即ち斜視図（図１８）において、頂部部材８の上面図（図１９）において、及び基礎部材７の下面図（図２０）において図示している。この実施形態において、頂部部材８は板の形をしている。この実施形態において、基礎部材７はフレーム状構造をしており、そのフレームは断面が実質的にＵ形である。
【図面の簡単な説明】
【００２９】
【図１】実質的に三角形の基礎輪郭を有する実施形態を示す斜視図である。
【図２】実質的に三角形の基礎輪郭を有する実施形態を示す平面図である。
【図３】実質的に三角形の基礎輪郭を有する実施形態を示す平面図である。
【図４】外方に湾曲した三角形の基礎輪郭を有する実施形態を示す斜視図である。
【図５】外方に湾曲した三角形の基礎輪郭を有する実施形態を示す平面図である。
【図６】実質的に円形の基礎輪郭を有する実施形態を示す斜視図である。
【図７】実質的に円形の基礎輪郭を有する実施形態を示す平面図である。
【図８】星形の基礎輪郭を有する実施形態を示す斜視図である。
【図９】星形の基礎輪郭を有する実施形態を示す平面図である。
【図１０】基礎板と頂部板とを有する実施形態を示す斜視図である。
【図１１】基礎板と頂部板とを有する実施形態を示す平面図である。
【図１２】薄板構造のラック部材を有する実施形態を示す斜視図である。
【図１３】表面部材としてウェブ状の突出部を有する変形例を示す斜視図である。
【図１４】図１１による実施形態のための図１２による実施形態の変形例を示した斜視図である。
【図１５】図８による実施形態の変形例を示す斜視図である。
【図１６】図８による実施形態の変形例を示す平面図である。
【図１７】図８による実施形態の変形例を示す平面図である。
【図１８】図４による実施形態の変形例を示す斜視図である。
【図１９】図４による実施形態の変形例を示す平面図である。
【図２０】図４による実施形態の変形例を示す平面図である。
【符号の説明】
【００３０】
１、２、３    ラック部材
４    基礎輪郭
４．１    基礎線
５    区画室
６    ＣＤケース
７    基礎板または基礎部材
８    頂部部材または頂部板
【図１】
0003107235.tif 000003
【図２】
0003107235.tif 000004
【図３】
0003107235.tif 000005
【図４】
0003107235.tif 000006
【図５】
0003107235.tif 000007
【図６】
0003107235.tif 000008
【図７】
0003107235.tif 000009
【図８】
0003107235.tif 000010
【図９】
0003107235.tif 000011
【図１０】
0003107235.tif 000012
【図１１】
0003107235.tif 000013
【図１２】
0003107235.tif 000014
【図１３】
0003107235.tif 000015
【図１４】
0003107235.tif 000016
【図１５】
0003107235.tif 000017
【図１６】
0003107235.tif 000018
【図１７】
0003107235.tif 000019
【図１８】
0003107235.tif 000020
【図１９】
0003107235.tif 000021
【図２０】
0003107235.tif 000022